(57)【要約】【課題】水路内を流下する粗大ごみにも対処し、かつスクリーン面積及び処理能力を大きく設定できるようにした微細目スクリーンを提供すること。【解決手段】流水面に対するスクリーン面を屈曲又は湾曲させて凹凸形状に構成する。【選択図】図１
2012021342.tif 000002
【特許請求の範囲】
【請求項１】
流水面に対するスクリーン面を屈曲又は湾曲させて凹凸形状に構成したことを特徴とする微細目スクリーン。
【請求項２】
微細目スクリーン面より流入側に突出するように水路の上流側に向かって保護スクリーンを配設し、かつ微細目スクリーンと一体に構成したことを特徴とする請求項１記載の微細目スクリーン。
【請求項３】
微細目スクリーンの一部にごみ掻揚用段部を形成したことを特徴とする請求項１又は２記載の微細目スクリーン。
【請求項４】
流水面に対するスクリーン面を屈曲又は湾曲させて凹凸形状に形成した微細目スクリーンを用い、かつ必要に応じて保護スクリーンとを組み合わせて回転スクリーンデュアルフローイン・アウト式の微細目除塵機を構成したことを特徴とする請求項１、２又は３記載の微細目除塵機。
【請求項５】
流水面に対するスクリーン面を屈曲又は湾曲させて凹凸形状に形成した微細目スクリーンを用い、かつ必要に応じて保護スクリーンとを組み合わせて回転スクリーンストレートフロー式の微細目除塵機を構成したことを特徴とする請求項１、２又は３記載の微細目除塵機。
【請求項６】
流水面に対するスクリーン面を屈曲又は湾曲させて凹凸形状に形成した微細目スクリーンを用いた回転スクリーンデュアルフローイン・アウト式の微細目除塵機において、その流入口側に粗大ごみ阻止用の昇降式保護スクリーンを配設して構成したことを特徴とする請求項１、２又は３記載の微細目除塵機。
【請求項７】
昇降式保護スクリーンを、これを構成するスクリーンバーの断面を円形に形成したことを特徴とする請求項６記載の微細目除塵機。
【発明の詳細な説明】
【技術分野】
【０００１】
本発明は、微細目スクリーン及び微細目スクリーンを用いた微細目除塵機に関し、特に、下水道のポンプ場、処理場、上水道施設などの水路から微細ごみを好適に除去するようにした微細目スクリーン及び微細目スクリーンを用いた微細目除塵機に関するものである。
【背景技術】
【０００２】
近年、合流改善で下水道から公共水域へ極力ごみを出さないことが要求され、下水道沈砂池等に設置される、例えば、図９に示すような回転スクリーンデュアルフローイン・アウト式微細目除塵機除塵機や、図１０に示すような回転スクリーンストレートフロー式微細目除塵機等、スクリーン目幅が小さい微細目スクリーンが求められている。
また、上水道施設においても取水した河川水等から微細なごみを除去するために微細目スクリーンを用いた前記微細目除塵機が多く用いられている。
【０００３】
ところで、これらの除塵機の微細目スクリーンには、極力スクリーン面積（濾過面積）が大きく、処理能力（通水能力）が大きいことが求められるが、これらの微細目スクリーンを装備した回転スクリーンデュアルフローイン・アウト式微細目除塵機除塵機或いは回転スクリーンストレートフロー式微細目除塵機は、その構造上一定以上の大きさの粗大ごみを掻き揚げることができない。
また、従来の微細目スクリーンは、図１１〜図１３に示すように、薄板スクリーンバーを等間隔に並べて形成したもの、樹脂板に丸又は角孔或いはテーパ孔を開けて形成したもの、さらには所要の目幅を有する金網等が使用されているが、これらの微細目スクリーンはいずれも平らな平板状（平面的）であるため、微細目スクリーンにかかる耐水圧や耐衝突圧を大きく設定するにも限度があり、一般的に外圧の水圧には弱く、また、流下する粗大ごみが直接微細目スクリーンに衝突したりすると微細目スクリーンが損傷するという恐れがある。
【０００４】
また、従来の回転スクリーンデュアルフローイン・アウト式微細目除塵機においては、粗大ごみ特に木材等の長尺物が流入すると構造上、掻き揚げられずにエンドレスで袋状となった微細目スクリーン内部に留まり、この滞留粗大ごみにより微細目除塵機に過負荷が発生して除塵機の停止或いは微細目スクリーンの破損等、トラブルが発生するという問題点があった。
【０００５】
このため、粗大ごみが流入する恐れのある水路では微細目スクリーンを備えた前記微細目除塵機の流入側前段に、さらに粗大ごみ阻止用の保護スクリーンを別途配設する必要があり、このため装置の規模が大きくなり設備費が嵩むとともに、短い水路や狭い水路内には設置できないという問題があった。
【０００６】
また、従来の平面状微細目スクリーンにおいては、阻止した微細ごみはスクリーン面に付着してかつ微細目スクリーンの循環駆動にて掻き揚げられるようになり、かつ上部に設けた洗浄ノズルよりの噴射水でスクリーン面から剥離させ、流水トラフ等へ排出させるようにしているので、球状形等の形をしてスクリーン面に付着し難い微細ごみは、スクリーン枠の棚等に載った一部を除き掻き揚げられず残留し、この残留ごみによる過負荷が除塵機に発生するという問題があった。
【発明の概要】
【発明が解決しようとする課題】
【０００７】
本発明は、上記従来の微細目除塵機の有する問題点に鑑み、水路内を流下する粗大ごみにも対処し、かつスクリーン面積（濾過面積）及び処理能力（通水能力）を大きく設定できるようにした微細目スクリーン及び微細目スクリーンを用いた微細目除塵機を提供することを目的とする。
【課題を解決するための手段】
【０００８】
上記目的を達成するため、本発明の微細目スクリーンは、流水面に対するスクリーン面を屈曲又は湾曲させて凹凸形状に構成したことを特徴とする。
【０００９】
この場合において、微細目スクリーン面より流入側に突出するように水路の上流側に向かって保護スクリーンを配設し、かつ微細目スクリーンと一体に構成することができる。
【００１０】
また、微細目スクリーンの一部にごみ掻き揚げ用段部を形成することができる。
【００１１】
また、流水面に対するスクリーン面を屈曲又は湾曲させて凹凸形状に形成した微細目スクリーンを用い、かつ必要に応じて保護スクリーンとを組み合わせて回転スクリーンデュアルフローイン・アウト式の微細目除塵機を構成したことを特徴とする。
【００１２】
また、流水面に対するスクリーン面を屈曲又は湾曲させて凹凸形状に形成した微細目スクリーンを用い、かつ必要に応じて保護スクリーンとを組み合わせて回転スクリーンストレートフロー式の微細目除塵機を構成したことを特徴とする。
【００１３】
また、流水面に対するスクリーン面を屈曲又は湾曲させて凹凸形状に形成した微細目スクリーンを用いた回転スクリーンデュアルフローイン・アウト式の微細目除塵機において、その流入口側に粗大ごみ阻止用の昇降式保護スクリーンを配設して構成することができる。
【００１４】
また、昇降式保護スクリーンを、これを構成するスクリーンバーの断面を円形に形成することができる。
【発明の効果】
【００１５】
本発明の微細目スクリーンによれば、流水面に対するスクリーン面を屈曲又は湾曲させて凹凸形状に構成にすることで、従来の平面形の微細目スクリーンに比べ水圧に対する強度及び粗大ごみの衝突圧に対する強度を大きくすることができるので、微細目スクリーンの破損を未然に防止することができ、さらにはスクリーン面積（濾過面積）が大きくなり、処理能力（通水能力）を大きくすることができる。
【００１６】
また、微細目スクリーン面より流入側に突出するように水路の上流側に向かって保護スクリーンを配設し、かつ微細目スクリーンと一体に構成することにより、粗大ごみはこの保護スクリーンで阻止され、微細目スクリーンへの衝突破損を防ぐことができる。
この場合、保護スクリーンは微細目スクリーンに対し垂直方向に設けることも、水平方向に設けることもでき、さらには水平方向に設けた場合、保護スクリーン先端を曲げることにより、保護スクリーンの機能を保持しつつ、ごみを掻き揚げ易くすることができる。
【００１７】
また、微細目スクリーンの一部にごみ掻き揚げ用段部を形成することにより、微細目スクリーンに付着するごみに加え、球状等スクリーン面に付着し難い非付着性ごみも滑落することなく確実に掻き揚げることができ、合わせて、従来の平面的なスクリーンよりスクリーン面積（濾過面積）が大きくなり、処理能力（通水能力）を大きくすることができる。
【００１８】
また、流水面に対するスクリーン面を屈曲又は湾曲させて凹凸形状に形成した微細目スクリーンを用い、かつ必要に応じて保護スクリーンを組み合わせて回転スクリーンデュアルフローイン・アウト式の微細目除塵機を構成することにより、従来機よりも処理能力（通水能力）を大きくすることができ、水圧に対する強度を上げることができる。
また、同じ処理能力であれば、スクリーン寸法、機器本体寸法を小さくでき、製作コストを安くすることができるとともに、従来機では掻き揚げられなかった球状等の非付着性ごみを掻き揚げることも、粗大ごみの衝突による微細目スクリーンの破損を防止することもできる。
【００１９】
また、流水面に対するスクリーン面を屈曲又は湾曲させて凹凸形状に形成した微細目スクリーンを用い、かつ必要に応じて保護スクリーンを組み合わせて回転スクリーンストレートフロー式の微細目除塵機を構成することにより、従来機よりも処理能力（通水能力）を大きく、さらに水圧に対する強度を上げることができる。
さらに同じ処理能力であれば、スクリーン寸法、機器本体寸法を小さくでき、製作コストを安くすることができるとともに、従来機では掻き揚げられなかった球状等の非付着性ごみを掻き揚げることも、粗大ごみの衝突による微細目スクリーンの破損を防止することもできる。
【００２０】
また、流水面に対するスクリーン面を屈曲又は湾曲させて凹凸形状に形成した微細目スクリーンを用いた回転スクリーンデュアルフローイン・アウト式の微細目除塵機において、その流入口側に粗大ごみ阻止用の昇降式保護スクリーンを配設して構成することにより、トラブル防止のためその構成上微細目除塵機の流入口側に、該除塵機とは別途に必要としていた粗大ごみ除去用の除塵機が不要となり、水路内での設置スペースが小さくなり、設備費も安価で、機器数が減ることから維持管理も容易な設備とすることができる。
【００２１】
また、昇降式保護スクリーンを、これを構成するスクリーンバーの断面を円形とすることにより、紐状ごみの絡み付きを防止し、これにより微細目スクリーンの閉塞の危険が減り、かつごみの除去作業も軽減され、粗大ごみを有効に阻止することができる。
【図面の簡単な説明】
【００２２】
【図１】本発明の微細目スクリーンの第１実施例を示し、（Ａ）はバー式微細目スクリーンの側面断面図、（Ｂ）は孔穿設式微細目スクリーンの側面断面図、（Ｃ）は金網式微細目スクリーンの側面断面図である。
【図２】バー式微細目スクリーンに保護スクリーンを配設した第２実施例を示し、（Ａ）は正面図、（Ｂ）は側面断面図である。
【図３】孔穿設式微細目スクリーンに保護スクリーンを配設した第３実施例を示し、（Ａ）は正面図、（Ｂ）は側面断面図である。
【図４】図３に示す実施例の保護スクリーンを水平方向に配設した第４実施例で、（Ａ）は正面図、（Ｂ）は側面断面図、（Ｃ）は保護スクリーンの先端を屈曲した側面断面図である。
【図５】図３〜図４に示す実施例の孔穿設式微細目スクリーンを平面方向に凹凸に形成した第５実施例を示し、（Ａ）は横断面図（（Ｂ）のＹ−Ｙ断面図）、（Ｂ）は側面断面図（（Ａ）のＸ−Ｘ断面図）である。
【図６】図２に示す実施例の微細目スクリーンにごみ掻き揚げ用段部を形成した異なる実施例の側面断面図である。
【図７】微細目スクリーンを採用した回転スクリーンデュアルフローイン・アウト式微細目除塵機に昇降式粗大ごみ阻止用の保護スクリーンを配設した第６実施例を示し、（Ａ）は正面図、（Ｂ）は側面図である。
【図８】第６実施例に採用する保護スクリーンを示し、（Ａ）は正面図、（Ｂ）は側面図、（Ｃ）は平面横断面図である。
【図９】従来の回転スクリーンデュアルフローイン・アウト式微細目除塵機の実施例を示す外観斜視図である。
【図１０】従来の回転スクリーンストレートフロー式微細目除塵機の実施例を示し、（Ａ）は正面図、（Ｂ）は側面図である。
【図１１】従来の微細目除塵機用バー式微細目スクリーンの実施例を示し、（Ａ）は正面図、（Ｂ）は側面断面図である。
【図１２】従来の微細目除塵機用孔穿設式微細目スクリーンの実施例を示し、（Ａ）は正面図、（Ｂ）は側面断面図である。
【図１３】従来の微細目除塵機用金網式微細目スクリーンの実施例を示し、（Ａ）は正面図、（Ｂ）は側面断面図である。
【発明を実施するための形態】
【００２３】
以下、本発明の微細目スクリーン及び微細目スクリーンを用いた微細目除塵機の実施の形態を、図面に基づいて説明する。
【実施例１】
【００２４】
図１に、本発明の微細目スクリーンの第１実施例を示す。
下水道のポンプ場、処理場、上水道施設などの水路から微細ごみを除去するために水路Ｗ内に微細目除塵機を設置している。この微細目除塵機として、特に限定されるものではないが、例えば、図７及び図９に示すような回転スクリーンデュアルフローイン・アウト式微細目除塵機Ａ、また、図１０に示すような回転スクリーンストレートフロー式微細目除塵機Ｂなどがある。
これらの微細目除塵機などにおいては、所定幅と長さを有するパネル形とした微細目スクリーンＳの複数枚を互いに連結してエンドレスに配設し、これを循環するように駆動することで水路内を流下する微細ごみを捕獲除去するようにしている。
【００２５】
この微細目スクリーンＳとしては、図１の各図に示すように形成する。
この場合、微細目スクリーンＳの流水面に対するスクリーン面を屈曲又は湾曲させて凹凸形状にするが、これは特に限定されるものではなく、図１（Ａ）に示すように、所要幅の平板を所定の定間隔に隣接配列して構成するバー式微細目スクリーンＳ１の場合、上下端部より中央部を水路の上流側に向かってく字形に屈曲した膨出部Ｓｔとすること、また、図１（Ｂ）に示すように、平板に無数の孔（望ましくは上流側を小径としたテーパ孔）を穿設した孔穿設式微細目スクリーンＳ２の場合、上下端部より中央部を水路の上流側に向かって突出するように凸形にスクリーン断面全体を湾曲した膨出部Ｓｔとすること、また、図１（Ｃ）に示すように、所要メッシュの金網を用いた金網式微細目スクリーンＳ３を水流面に対して波形に屈曲形成した膨出部Ｓｔとすること等、任意の形状とすることができる。
【００２６】
このように、微細目スクリーンＳを凹凸形状にする場合、流入側に対して凹のみでも凸のみでも良く、さらにはスクリーン断面全体を曲げる場合、垂直方向或いは水平方向のいずれ方向にも図示の実施例に限定されることなく適宜曲げて構成することができ、これにより、水流圧や流下する粗大ごみの衝突圧に対しての強度を増し、微細目スクリーンの保護を果たすことができる。
【００２７】
また、パネル形の微細目スクリーンＳをエンドレスに連結し、これを水路内で循環駆動することで流下する微細ごみをエンドレス微細目スクリーン面で捕獲し、該エンドレス微細目スクリーンを循環する時、確実に捕獲ごみＧを掻き揚げられるように、図６に示すように、バー式微細目スクリーンの一部にごみ掻き揚げ用段部Ｓａを形成することができる。
これにより、エンドレスな微細目スクリーン面で捕獲されたごみは、バー式微細目スクリーンＳ１の垂直方向への循環駆動によっても該スクリーン面上を滑落することなくごみ掻き揚げ用段部Ｓａに引っ掛かるようになって確実に掻き揚げられる。
【００２８】
さらに、水路Ｗを流下する粗大ごみにて微細目スクリーンＳが変形等にて破損するのを防止するため、図１に示す第１実施例に保護スクリーンＰを微細目スクリーンＳに一体に配設することができる。この保護スクリーンＰを配設した実施例を、図２〜図５に示す。
【実施例２】
【００２９】
図２に、本発明の微細目スクリーンの第２実施例を示す。
この第２実施例は、図１（Ａ）に示すバー式微細目スクリーンＳ１に保護スクリーンＰを配設したもので、これは所要幅の平板を上下端部より中央部をスクリーン面より流入側に突出するように水路の上流側に向かってく字形に屈曲形成し、これをさらに所定の定間隔に隣接配列してバー式微細目スクリーンＳ１を構成するとともに、このバー式微細目スクリーンＳ１の上流側面に突出するようにして保護スクリーンＰを所定間隔で配列する。
この保護スクリーンＰもバー式微細目スクリーンＳ１を構成する平板と同じように、バー式微細目スクリーンＳ１の平板よりも強度があるように、例えば、板厚を厚くするなどした板を上下端部より中央部を水路の上流側に向かってく字形に屈曲形成し、これをバー式微細目スクリーンＳ１の平板を複数枚配列したブロック間に、これは特に限定されるものではないが、例えば、バー式微細目スクリーンの隣接する平板の６枚毎に保護スクリーン平板を１枚挿入するように配設し、バー式微細目スクリーンＳ１のパネル枠Ｆにバー式微細目スクリーンＳ１の平板と共に固定して構成する。
【００３０】
なお、この場合、保護スクリーンＰの強度を増すため、バー式微細目スクリーンＳ１の平板間に挿入する保護スクリーンＰの平板間を該平板と交わる方向にも保護スクリーン補助板Ｐａを連結配設して一体とする。この保護スクリーン補助板Ｐａの先端をごみが載り易い形状に上向きに少し屈曲することができ、これにより保護スクリーンＰで捕捉する粗大ごみの引っ掛かりを良くして掻き揚げを効率的に行うようにすることができる。
【実施例３】
【００３１】
図３に、本発明の微細目スクリーンの第３実施例を示す。
この第３実施例は、図１（Ｂ）に示す孔穿設式微細目スクリーンＳ２に保護スクリーンを配設したもので、これは平板に無数の孔を穿設し、かつこれを上下端部より中央部をスクリーン面より流入側に突出するように水路の上流側に向かって突出する凸形にスクリーン断面全体を湾曲するような形状に構成した微細目スクリーン面上に、かつ微細目スクリーン面に添って所要の間隔で保護スクリーン平板を垂直縦方向、左右に配列又は格子形に組んで構成した保護スクリーンＰを配設し、微細目スクリーンのパネル枠Ｆに固定して構成する。この場合も平行配列する保護スクリーンＰの平板間に、該平板と交わる方向にも保護スクリーン補助板Ｐａを連結配設して一体とし、かつ保護スクリーン補助板Ｐａの先端をごみが載り易い形状に上向きに少し屈曲することができ、これにより保護スクリーンＰで捕捉する粗大ごみの引っ掛かりを良くして掻き揚げを効率的に行うようにすることができる。
【実施例４】
【００３２】
また、図４に、本発明の微細目スクリーンの第４実施例を示す。
この第４実施例は、上記第３実施例ではスクリーン面より流入側に突出するように凸形に湾曲形成した孔穿設式微細目スクリーンＳ２面に保護スクリーンＰの平板を縦方向に配列したものに対して、微細目スクリーン面に対して保護スクリーン平板を水平方向に所定間隔で上下方向に配列して構成したもので、必要に応じて各保護スクリーン平板の先端を、図４（Ｂ）に示すように、ストレート形とすることも、また、図４（Ｃ）に示すように、ごみが引っ掛かりって載り易い形状に上向きに少し屈曲することができ、これにより保護スクリーンで捕捉する粗大ごみの引っ掛かりを良くなり、その滑落を防止して掻き揚げを効率的に行うようにすることができる。
【実施例５】
【００３３】
また、図５に、本発明の微細目スクリーンの第５実施例を示す。
この第５実施例は、平板に無数の孔を穿設して構成する孔穿設式微細目スクリーンＳ２（孔の記載一部省略）を、図５（Ａ）に示すように構成して水流方向に横幅方向に凹凸或いは波形に屈曲して形成し、この微細目スクリーン面より流入側に突出するようにして水平方向に保護スクリーンＰを配設して構成したものである。
この場合も保護スクリーンＰの先端を、図４（Ｃ）に示す実施例のように、ごみが引っ掛かりって載り易い形状に上向きに少し屈曲することができる。
【実施例６】
【００３４】
また、図７に、本発明の微細目スクリーンを用いた微細目除塵機の第６実施例を示す。
この第６実施例は、前第１実施例から第５実施例で示した微細目スクリーンＳのいずれかを採用した回転スクリーンデュアルフローイン・アウト式微細目除塵機Ａの流入口に、粗大ごみ阻止用の昇降式保護スクリーンＰｂを配設したものである。
この回転スクリーンデュアルフローイン・アウト式微細目除塵機Ａは、微細目スクリーンＳをエンドレス状に連結し、これを水路Ｗ内に垂架し、駆動装置Ｄにて駆動チェーンＣを介して循環駆動するようにするとともに、除塵機上部に掻き揚げごみを機外へ排出するための排出トラフＴと微細目スクリーン面にて捕捉したごみを除去及びスクリーン面を洗浄する洗浄水ノズルＮとを配設して除塵機本体を構成し、かつこのスクリーン面の流水側に、粗大ごみ阻止用の昇降式保護スクリーンＰｂを配設する。
【００３５】
この粗大ごみ阻止用の昇降式保護スクリーンＰｂは、図８に示すように、上下に配設するフレーム間に掛け渡すようにして複数の丸パイプＰｃを縦方向にかつ所定間隔に配列固定してパネル形に構成し、この昇降式保護スクリーンＰｂの両端部を除塵機本体の流入口両側に配置したガイドＧにて昇降可能に支持し、かつ昇降用索条Ｌを吊上機Ｅにて吊垂支持することで、昇降式保護スクリーンＰｂの下降位置で微細目除塵機の濾過面を覆うようにし、流下する粗大ごみを該昇降式保護スクリーンＰｂで受け止め阻止し、微細目スクリーンＳを保護するようにする。
【００３６】
なお、該昇降式保護スクリーンＰｂで受け止めた粗大ごみは、この昇降式保護スクリーンを昇降用索条Ｌを介して吊り上げることで水路Ｗより排出することができる。この場合、昇降式保護スクリーンＰｂで受け止めた粗大ごみが滑落することなく確実に掻き揚げられるように、図８（Ｂ）に示すように、昇降式保護スクリーンに下部位置に掻き揚げ板を配設する。
また、図示省略したが、粗大ごみを阻止する保護スクリーンを、水路上での吊り上げ高さが不足する場合、高さ方向に分割し必要段数を重ねて設置するようにすることもできる。この場合、ごみが載る棚状の突起は各分割毎に設けても良く、粗大ごみを阻止する保護スクリーンは、１面のみ設けても良いが、２面にして配設し、これを交互に引き上げてごみを除去するようにすることもできる。
【００３７】
なお、本発明の第１実施例から第５実施例で示した微細目スクリーンＳは、図７〜図９に示す回転スクリーンデュアルフローイン・アウト式微細目除塵機Ａの、また、図１０に示す回転スクリーンストレートフロー式微細目除塵機Ｂの微細目スクリーンＳとして採用することができる。
【００３８】
以上、本発明の微細目スクリーン及び微細目スクリーンを用いた微細目除塵機について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３９】
本発明の微細目スクリーンは、水路内を流下する粗大ごみにも対処し、かつスクリーン面積（濾過面積）及び処理能力（通水能力）を大きく設定できるという特性を有していることから、微細目除塵機の用途に好適に用いることができる。
【符号の説明】
【００４０】
Ａ    回転スクリーンデュアルフローイン・アウト式微細目除塵機
Ｂ    回転スクリーンストレートフロー式微細目除塵機
Ｃ    駆動チェーン
Ｄ    駆動装置
Ｅ    吊上機
Ｆ    パネル枠
Ｇ    ガイド
Ｌ    昇降用索条
Ｎ    洗浄水ノズル
Ｐ    保護スクリーン
Ｐａ  保護スクリーン補助板
Ｐｂ  昇降式保護スクリーン
Ｓ    微細目スクリーン
Ｓ１  バー式微細目スクリーン
Ｓ２  孔穿設式微細目スクリーン
Ｓ３  金網式微細目スクリーン
Ｓａ  ごみ掻き揚げ用段部
Ｔ    排出トラフ
Ｗ    水路
【図１】
2012021342.tif 000003
【図２】
2012021342.tif 000004
【図３】
2012021342.tif 000005
【図４】
2012021342.tif 000006
【図５】
2012021342.tif 000007
【図６】
2012021342.tif 000008
【図７】
2012021342.tif 000009
【図８】
2012021342.tif 000010
【図９】
2012021342.tif 000011
【図１０】
2012021342.tif 000012
【図１１】
2012021342.tif 000013
【図１２】
2012021342.tif 000014
【図１３】
2012021342.tif 000015